【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
無線ＩＤ（ＲＦＩＤ）タグ基板を準備し、
前記ＲＦＩＤタグ基板に複数のＲＦネットワークノードを実装し、前記複数のＲＦネットワークノードのそれぞれには、ＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックが含まれ、
前記複数のＲＦネットワークのそれぞれの前記メモリから形成される協調された記憶ファシリティを提供するように、前記複数のＲＦネットワークノード間の協調された機能性を可能にするために、ＲＦネットワークノード間通信バスを有するネットワークトポロジーへ前記複数のＲＦネットワークノードを相互接続することを含む、方法。
【請求項２】
前記ＲＦＩＤタグ基板が、前記複数のＲＦネットワークノードの１つにより識別されるべき対象物に関連付けられている、請求項１に記載の方法。
【請求項３】
複数のＲＦネットワークノードを有する、無線ＩＤ（ＲＦＩＤ）タグを準備し、前記複数のＲＦネットワークノードのそれぞれには、ＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックが含まれ、前記複数のＲＦネットワークのそれぞれの前記メモリから形成される協調された記憶ファシリティを含むように前記複数のＲＦネットワークノード間の協調された機能性を可能にするために、前記複数のＲＦネットワークノードがＲＦネットワークノード間通信バスにより相互接続され、
２つ以上の周波数を用いて前記ＲＦＩＤタグから情報を送信することを含む、方法。
【請求項４】
無線ＩＤ（ＲＦＩＤ）タグ基板と、
前記ＲＦＩＤタグ基板に実装された複数のＲＦネットワークノードであって、前記複数のＲＦネットワークノードのそれぞれが、ＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックを含む、複数のＲＦネットワークノードと、
前記複数のＲＦネットワークノード間の機能協調を可能にするために、ネットワークトポロジーへ前記複数のＲＦネットワークノードを相互接続するＲＦネットワークノード間通信バスとを含む、システム。
【請求項５】
分散型メモリを提供するシステムであって、
複数のＲＦネットワークノードを含む無線ＩＤ（ＲＦＩＤ）タグを含み、各ノードにはそれに関連した以下のもの、即ちＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックが含まれ、
前記複数のＲＦネットワークノードのそれぞれの前記メモリが、前記複数のＲＦネットワークノードのそれぞれのデータ処理及びコントローラブロックにより協調されて、協調された記憶ファシリティを形成する、システム。
【請求項６】
前記協調された記憶ファシリティが、所定のエンティティによりアクセス可能であるメモリを含む、請求項５に記載のシステム。
【請求項７】
複数のＲＦネットワークノードを含む無線ＩＤ（ＲＦＩＤ）タグを含み、前記複数のＲＦネットワークノードのそれぞれには、ＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックが含まれ、
前記複数のＲＦネットワークノードのそれぞれの前記メモリが、前記複数のＲＦネットワークノードのそれぞれのデータ処理及びコントローラブロックにより協調されて、少なくとも１つの冗長なメモリ記憶装置を含む複数のメモリ記憶装置を形成する、システム。
【請求項８】
前記複数のメモリ記憶装置が、ユーザ定義情報を含む、請求項７に記載のシステム。
【請求項９】
複数のＲＦネットワークノードを含む無線ＩＤ（ＲＦＩＤ）タグを準備し、前記複数のＲＦネットワークノードのそれぞれには、ＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックが含まれ、
アンテナを前記複数のＲＦネットワークノードのそれぞれに関連付け、
前記複数のＲＦネットワークノード間の通信バスとして前記アンテナを使用することを含む、方法。
【請求項１０】
複数のＲＦネットワークノードを含む無線ＩＤ（ＲＦＩＤ）タグを準備し、前記複数のＲＦネットワークノードのそれぞれには、ＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックが含まれ、
前記複数のＲＦネットワークノードをパラレルデータ接続に接続し、
前記複数のＲＦネットワークノード間の通信バスとして前記パラレルデータ接続を使用することを含む、方法。
【請求項１１】
無線ＩＤ（ＲＦＩＤ）タグの分散型通信の方法であって、
複数のＲＦネットワークノードを含むＲＦＩＤタグを準備し、前記複数のＲＦネットワークノードのそれぞれには、ＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックが含まれ、
前記複数のＲＦネットワークノードをシリアルデータ接続に接続し、
前記複数のＲＦネットワークノード間の通信バスとして前記シリアルデータ接続を使用することを含む、方法。
【請求項１２】
複数のＲＦネットワークノードを含む無線ＩＤ（ＲＦＩＤ）タグを準備し、前記複数のＲＦネットワークノードのそれぞれには、ＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックが含まれ、
前記ＲＦＩＤタグを対象物に関連付け、
前記対象物のインピーダンスに整合するように、前記複数のＲＦネットワークノードの少なくとも１つのインピーダンスを調整することを含む、方法。
【請求項１３】
ＲＦＩＤタグにアンテナを接続する方法であって、
複数のＲＦＩＤアンテナを準備し、
複数のＲＦネットワークノードを含むＲＦＩＤタグを提供し、前記複数のＲＦネットワークノードのそれぞれには、ＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックが含まれ、
前記複数のＲＦＩＤアンテナを少なくとも１つのＲＦネットワークノードに接続することを含む、方法。
【請求項１４】
ＲＦＩＤタグに対するセンサ通信の方法であって、
通信ファシリティ及び複数のＲＦネットワークノードを含むＲＦＩＤタグを準備し、前記複数のＲＦネットワークノードのそれぞれには、ＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックが含まれ、
前記ＲＦＩＤタグの外部に少なくとも１つのセンサを提供し、
前記センサからの情報を前記通信ファシリティに伝達し、
伝達されたセンサ情報を前記複数のＲＦネットワークノードの少なくとも１つのメモリに格納することを含む、方法。
【請求項１５】
ＲＦネットワークノードの冗長性の方法であって、
複数のＲＦネットワークノードを含むＲＦＩＤタグを準備し、前記複数のＲＦネットワークノードのそれぞれが、ＲＦＩＤ読み取り装置信号を受信および送信するためのＲＦ及びアナログブロック、デジタル処理を行うためのデータ処理及びコントローラブロック、メモリ、及び前記ＲＦネットワークノードの電力の要求を管理するための電力管理ブロックを含み、前記複数のＲＦネットワークノードのそれぞれが、少なくとも１つの機能を実行することができ、前記少なくとも１つの機能が前記複数のＲＦネットワークノードのそれぞれに対する同じ機能であり、
前記少なくとも１つの機能を含む機能性を失った、前記複数のＲＦネットワークノードのうちの損傷を受けたＲＦネットワークノードを検出し、
前記複数のＲＦネットワークノードの損傷を受けたＲＦネットワークノードの前記少なくとも１つの機能を実施する前記複数のＲＦネットワークノードの別のＲＦネットワークノードを用いることにより、前記ＲＦＩＤタグの前記少なくとも１つの機能を置き換えることを含む、方法。